(57)【要約】      （修正有）【課題】画像データに対応する対応情報の利便性を向上することができる技術を提供する。【解決手段】本発明の画像処理システムは、撮像装置からＲＡＷデータと、前記ＲＡＷデータに対応する第１対応情報とを取得する取得手段と、前記第１対応情報に基づいて前記ＲＡＷデータに現像処理を施すことにより、現像画像データを生成する処理手段と、前記現像処理に関する情報と前記第１対応情報の少なくとも一部とを含む情報を、前記現像画像データに対応する第２対応情報として生成する生成手段と、前記現像画像データと前記第２対応情報とを録画装置に出力する出力手段と、を有する。【選択図】図１
2017192054.tif 000002
【特許請求の範囲】
【請求項１】
ＲＡＷデータと、前記ＲＡＷデータに対応する第１対応情報とを取得する取得手段と、
前記第１対応情報に基づいて前記ＲＡＷデータに現像処理を施すことにより、現像画像データを生成する処理手段と、
前記現像処理に関する情報と前記第１対応情報の少なくとも一部とを含む情報を、前記現像画像データに対応する第２対応情報として生成する生成手段と、
前記現像画像データと前記第２対応情報とを出力する出力手段と、
を有することを特徴とする画像処理装置。
【請求項２】
前記処理手段は、
前記第１対応情報に基づいて前記ＲＡＷデータに前記現像処理を施すことにより、第１画像データを生成する現像手段と、
前記第１画像データに画像処理を施すことにより、第２画像データを生成する画像処理手段と、
を有し、
前記現像画像データは、前記第１画像データまたは前記第２画像データであり、
前記第２対応情報は、前記現像処理に関する情報、前記第１対応情報の少なくとも一部、及び、前記画像処理に関する情報を含む
ことを特徴とする請求項１に記載の画像処理装置。
【請求項３】
前記画像処理は、ＡＳＣ  ＣＤＬで定義された種類のパラメータを用いた画像処理を含み、
前記画像処理に関する情報は、前記パラメータを含む
ことを特徴とする請求項２に記載の画像処理装置。
【請求項４】
前記現像画像データは、前記第１画像データであり、
前記画像処理に関する情報は、前記現像画像データに前記画像処理が施されていないことを示す情報を含む
ことを特徴とする請求項２または３に記載の画像処理装置。
【請求項５】
前記出力手段は、前記ＲＡＷデータ、及び、前記ＲＡＷデータと前記現像画像データとの対応関係を示す情報をさらに出力する
ことを特徴とする請求項１〜４のいずれか１項に記載の画像処理装置。
【請求項６】
前記出力手段から出力された前記第２対応情報は記憶部に記録され、
前記出力手段は、前記第２対応情報の記録先を示す記録先情報をさらに出力する
ことを特徴とする請求項１〜５のいずれか１項に記載の画像処理装置。
【請求項７】
前記出力手段は、前記第２対応情報を前記現像画像データに付加し、前記第２対応情報が付加された前記現像画像データを出力する
ことを特徴とする請求項１〜６のいずれか１項に記載の画像処理装置。
【請求項８】
前記出力手段は、
前記記録先情報を前記現像画像データに付加し、前記記録先情報が付加された前記現像画像データを出力する第１出力手段と、
前記第２対応情報を出力する第２出力手段と、
を有する
ことを特徴とする請求項６に記載の画像処理装置。
【請求項９】
前記取得手段は、前記第１対応情報が付加された前記ＲＡＷデータを取得する
ことを特徴とする請求項１〜８のいずれか１項に記載の画像処理装置。
【請求項１０】
前記現像処理は、画像サイズを変更する処理を含み、
前記現像処理に関する情報は、前記現像処理による前記画像サイズの変化を示す情報を含む
ことを特徴とする請求項１〜９のいずれか１項に記載の画像処理装置。
【請求項１１】
前記現像処理に関する情報は、前記現像画像データに前記現像処理が施されていることを示す情報、または、前記画像処理装置を示す情報を含む
ことを特徴とする請求項１〜１０のいずれか１項に記載の画像処理装置。
【請求項１２】
前記第２対応情報は、前記第１対応情報の全てを含む
ことを特徴とする請求項１〜１１のいずれか１項に記載の画像処理装置。
【請求項１３】
前記現像画像データは動画像データであり、
前記生成手段は、前記現像画像データの最初のフレームに対応する情報として前記第２対応情報を含み、且つ、前記第２対応情報の変化が生じたフレームに対応する情報として前記第２対応情報の変化に関する情報を含むデータファイルを生成し、
前記出力手段は、前記現像画像データと前記データファイルとを出力する
ことを特徴とする請求項１〜１２のいずれか１項に記載の画像処理装置。
【請求項１４】
ＲＡＷデータと、前記ＲＡＷデータに対応する第１対応情報とを取得するステップと、
前記第１対応情報に基づいて前記ＲＡＷデータに現像処理を施すことにより、現像画像データを生成するステップと、
前記現像処理に関する情報と前記第１対応情報の少なくとも一部とを含む情報を、前記現像画像データに対応する第２対応情報として生成するステップと、
前記現像画像データと前記第２対応情報とを出力するステップと、
を有することを特徴とする画像処理方法。
【請求項１５】
請求項１４に記載の画像処理方法の各ステップをコンピュータに実行させることを特徴とするプログラム。
【発明の詳細な説明】
【技術分野】
【０００１】
本発明は、画像処理装置および画像処理方法に関する。
【背景技術】
【０００２】
撮影では、例えば、図６に示すように、撮影装置、表示装置、及び、録画装置を有するシステムが使用される。撮影装置では、撮影によってＲＡＷデータ（例えば、ベイヤ配列の画像データ）が生成される。表示装置では、ＲＡＷデータに現像処理（例えば、ディベイヤ処理）が施され、現像処理によって得られた画像データ（現像画像データ）に基づく画像が表示される。そして、録画装置では、現像画像データが記録される。現像処理は、一般的なデータフォーマットを有する画像データ（例えば、ＲＧＢデータ）へＲＡＷデータを変換する処理である。
【０００３】
ＲＡＷデータは、当該ＲＡＷデータに対応するアンシラリ情報（対応情報；補助データ）が付加される。ここで、撮影装置から表示装置へ、ＲＡＷデータとしてＳＤＩ信号（ＳＤＩ−ＲＡＷデータ）が出力され、表示装置から録画装置へ、現像画像データとしてＳＤＩ信号（ＳＤＩ−現像画像データ）が出力される場合を考える。この場合には、例えば、ＳＤＩ−ＲＡＷデータに、ＳＭＰＴＥ規格で規定されたアンシラリ情報（タイムコードなど）と、メーカ固有のアンシラリ情報（撮影情報、録画指示、等）とが付加される。メーカ固有のアンシラリ情報も、ＳＭＰＴＥ規格に準拠した形式でＳＤＩ−ＲＡＷデータに付加される。
【０００４】
しかし、ＲＡＷデータのアンシラリ情報と、ＲＡＷデータ以外の画像データのアンシラリ情報との関係について特に規定はない。そのため、一般的には、ディベイヤ処理により、ＲＡＷデータに対応するアンシラリ情報（撮影情報、録画指示、等）が失われる。そして、録画装置には、ＲＡＷデータに対応するアンシラリ情報が付加されていない現像画像データが入力される。その結果、録画装置は、撮影情報、録画指示、等のアンシラリ情報を受け取ることができず、当該アンシラリ情報に基づく処理を実行することができない。
【０００５】
このような課題に関する技術として、例えば、特許文献１に開示の技術が提案されている。特許文献１に開示の技術では、入力されたデジタルビデオ信号から、そのデジタルビデオ信号に対応する補助データが抽出される。そして、デジタルビデオ信号がダウンコンバートされ、ダウンコンバートされたデジタルビデオ信号に、抽出された補助データが付加される。
【０００６】
特許文献１に開示の技術を用いれば、ＲＡＷデータに対応するアンシラリ情報を現像画像データに引き継ぐことができる。しかしながら、現像画像データはＲＡＷデータと異なるため、ＲＡＷデータに対応するアンシラリ情報が現像画像データに好ましい情報であるとは限らない。即ち、現像処理により、現像画像データに好ましいアンシラリ情報が、ＲＡＷデータに対応するアンシラリ情報から変化することがある。そのため、実施例１に記載の技術を用いた場合には、現像画像データに対応するアンシラリ情報として、利便性の低いアンシラリ情報（現像画像データに好ましくないアンシラリ情報）が使用されることがある。
【先行技術文献】
【特許文献】
【０００７】
【特許文献１】特開２００７−３１８６４７号公報
【発明の概要】
【発明が解決しようとする課題】
【０００８】
本発明は、画像データに対応する対応情報の利便性を向上することができる技術を提供することを目的とする。
【課題を解決するための手段】
【０００９】
本発明の第１の態様は、
ＲＡＷデータと、前記ＲＡＷデータに対応する第１対応情報とを取得する取得手段と、
前記第１対応情報に基づいて前記ＲＡＷデータに現像処理を施すことにより、現像画像データを生成する処理手段と、
前記現像処理に関する情報と前記第１対応情報の少なくとも一部とを含む情報を、前記現像画像データに対応する第２対応情報として生成する生成手段と、
前記現像画像データと前記第２対応情報とを出力する出力手段と、
を有することを特徴とする画像処理装置である。
【００１０】
本発明の第２の態様は、
ＲＡＷデータと、前記ＲＡＷデータに対応する第１対応情報とを取得するステップと、
前記第１対応情報に基づいて前記ＲＡＷデータに現像処理を施すことにより、現像画像データを生成するステップと、
前記現像処理に関する情報と前記第１対応情報の少なくとも一部とを含む情報を、前記現像画像データに対応する第２対応情報として生成するステップと、
前記現像画像データと前記第２対応情報とを出力するステップと、
を有することを特徴とする画像処理方法である。
【００１１】
本発明の第３の態様は、上述した画像処理方法の各ステップをコンピュータに実行させることを特徴とするプログラムである。
【発明の効果】
【００１２】
本発明によれば、画像データに対応する対応情報の利便性を向上することができる。
【図面の簡単な説明】
【００１３】
【図１】実施例１に係る画像処理システムの構成例を示す図
【図２】実施例１に係るＲＡＷデータの一例を示す図
【図３】実施例２に係る画像処理システムの構成例を示す図
【図４】実施例３に係る画像処理システムの構成例を示す図
【図５】実施例４に係る画像処理システムの構成例を示す図
【図６】従来のシステムの一例を示す図
【発明を実施するための形態】
【００１４】
＜実施例１＞
以下、本発明の実施例１について説明する。なお、以下では、本実施例に係る画像処理装置が表示装置である例を説明するが、画像処理装置は表示装置でなくてもよい。例えば、画像処理装置はパーソナルコンピュータなどであってもよい。
【００１５】
図１は、本実施例に係る画像処理システムの構成例を示す図である。図１の画像処理システムは、撮影装置１０８、表示装置１０１、及び、録画装置１０９を有する。撮影装置１０８は、２本のＳＤＩケーブルを用いて表示装置１０１に接続されており、表示装置１０１は、４本のＳＤＩケーブルを用いて録画装置１０９に接続されている。なお、ケーブルの種類はＳＤＩケーブルに限られない。例えば、ＨＤＭＩ（登録商標）ケーブルが装置間の接続に使用されてもよい。複数の装置が無線接続されてもよい。また、データの伝送
に使用されるケーブルの数、装置間の接続に使用されるケーブルの数、等は特に限定されない。
【００１６】
撮影装置１０８は、撮影によってＲＡＷデータなどの画像データを生成し、生成した画像データを表示装置１０１へ出力する。本実施例では、ＲＡＷデータが、ＳＤＩケーブルを介して撮影装置１０８から表示装置１０１へ伝送される。撮影装置１０８としては、例えば、デジタルカメラを使用することができる。なお、ＲＡＷデータは、静止画像データであってもよいし、動画像データであってもよい。
【００１７】
図２は、本実施例に係るＲＡＷデータの一例を示す図である。図２の例では、ＲＡＷデータは、ベイヤ配列の有効画像データを含む。また、ＲＡＷデータは、ＨＡＮＣとＶＡＮＣを有する。ＨＡＮＣは、有効画像データの水平ブランキング期間に対応する補助データ領域であり、ＶＡＮＣは、有効画像データの垂直ブランキング期間に対応する補助データ領域である。本実施例では、ＨＡＮＣとＶＡＮＣに、アンシラリ情報（ＲＡＷアンシラリ情報；ＲＡＷデータに対応する第１対応情報）が含まれている。具体的には、ペイロードＩＤ、タイムコード、ＲＡＷデータの画素情報、録画制御情報、等がＨＡＮＣに含まれており、撮影情報（ホワイトバランス、ガンマ、色域、等）などがＶＡＮＣに含まれている。
【００１８】
なお、ＨＡＮＣに含まれる情報と、ＶＡＮＣに含まれる情報とは、上記情報に限られない。また、ＲＡＷデータのデータ構造も特に限定されない。アンシラリ情報は、ＲＡＷデータとは異なるデータとして扱われてもよい。ＲＡＷデータ（有効画像データ）は、ベイヤ配列の画像データでなくてもよい。
【００１９】
録画装置１０９は、ＳＤＩケーブルを介して表示装置１０１から画像データを受信し、受信した画像データを記録する。録画装置１０９としては、例えば、種々のレコーダ（ハードディスクレコーダ、ブルーレイレコーダ、など）を使用することができる。
【００２０】
表示装置１０１は、レシーバ１０２、ディベイヤ部１０３、アンシラリ解析部１０４、アンシラリ変更部１０５、アンシラリ合成部１０６、及び、表示部１０７を有する。表示装置１０１としては、例えば、液晶表示装置、有機ＥＬ表示装置、プラズマ表示装置、ＭＥＭＳ（Ｍｉｃｒｏ  Ｅｌｅｃｔｒｏ  Ｍｅｃｈａｎｉｃａｌ  Ｓｙｓｔｅｍ）シャッター方式表示装置、等を使用することができる。
【００２１】
なお、表示装置１０１の上記各機能部は、ハードウェアによって実現されてもよいし、そうでなくてもよい。例えば、表示装置１０１が、プロセッサと、制御プログラムが格納されたメモリとを有していてもよい。そして、表示装置１０１が有する少なくとも一部の機能部の処理が、プロセッサがメモリから制御プログラムを読み出して実行することにより実現されてもよい。
【００２２】
レシーバ１０２は、ＲＡＷデータ（有効画像データ）と、ＲＡＷアンシラリ情報とを、撮影装置１０８から取得する。本実施例では、図２に示すように、ＲＡＷアンシラリ情報が付加されたＲＡＷデータが取得される。レシーバ１０２は、取得したＲＡＷデータ（有効画像データ）をディベイヤ部１０３へ出力し、取得したＲＡＷアンシラリ情報をアンシラリ解析部１０４へ出力する。なお、ＲＡＷデータと、ＲＡＷアンシラリ情報とが個別に取得されてもよい。
【００２３】
ディベイヤ部１０３は、レシーバ１０２によって取得されたＲＡＷアンシラリ情報に基づいて、レシーバ１０２によって取得されたＲＡＷデータに現像処理を施す。具体的には、ディベイヤ部１０３は、ＲＡＷアンシラリ情報の解析結果をアンシラリ解析部１０４か
ら取得し、取得した解析結果に基づいてＲＡＷデータに現像処理を施す。現像処理は、一般的なデータフォーマットを有する画像データ（例えば、ＲＧＢデータ）へＲＡＷデータを変換する処理である。ＲＡＷデータがベイヤ配列の画像データである場合には、現像処理は「ディベイヤ処理」と言える。ＲＡＷアンシラリ情報の解析結果は、例えば、ＲＡＷデータのベイヤ配列、ＲＡＷデータの画像高さ、ＲＡＷデータの画像幅、等を含む。本実施例では、現像処理後の画像データを「現像画像データ」と記載する。ディベイヤ部１０３は、現像画像データをアンシラリ合成部１０６と表示部１０７とへ出力する。
【００２４】
アンシラリ解析部１０４は、レシーバ１０２から出力されたＲＡＷアンシラリ情報を解析する。例えば、アンシラリ解析部１０４は、ＨＡＮＣを解析することにより、ペイロードＩＤ、タイムコード、ＲＡＷデータの画素情報、録画制御情報、等を判断する。そして、アンシラリ解析部１０４は、ＶＡＮＣを解析することにより、撮影情報（ホワイトバランス、ガンマ、色域、等）などを判断する。アンシラリ解析部１０４は、ディベイヤ部１０３からの要求に応じて、ＲＡＷアンシラリ情報をディベイヤ部１０３へ出力する。また、アンシラリ解析部１０４は、取得したＲＡＷアンシラリ情報の少なくとも一部をアンシラリ変更部１０５へ出力する。
【００２５】
アンシラリ変更部１０５は、行われた現像処理に関する情報をディベイヤ部１０３から取得し、レシーバ１０２によって取得されたＲＡＷアンシラリ情報の少なくとも一部をアンシラリ解析部１０４から取得する。そして、アンシラリ変更部１０５は、行われた現像処理に関する情報と、レシーバ１０２によって取得されたＲＡＷアンシラリ情報の少なくとも一部とを含む情報を、現像アンシラリ情報（現像画像データに対応する第２対応情報）として生成する。アンシラリ変更部１０５は、生成した現像アンシラリ情報をアンシラリ合成部１０６へ出力する。
【００２６】
本実施例では、現像処理は、画像サイズを変更する処理を含む。アンシラリ変更部１０５は、現像処理による画像サイズの変化を示す情報を、ディベイヤ部１０３から取得する。そして、アンシラリ変更部１０５は、現像処理に関する情報の一部として、現像処理による画像サイズ（画像フォーマット）の変化を示す情報を、現像アンシラリ情報に含める。例えば、現像処理による画像サイズの変化を示す上記情報は、変化前の画像サイズと変化後の画像サイズとの両方を示す情報、変化後の画像サイズのみを示す情報、変化前の画像サイズと変化後の画像サイズとの比、等である。ＲＡＷデータの解像度（画像サイズ）と現像画像データの解像度とは特に限定されない。例えば、ＲＡＷデータの解像度は、水平方向４０９６画素（水平解像度）×垂直方向２１６０画素（垂直解像度）であり、現像画像データの解像度は、水平方向２０４８画素×垂直方向１０８０画素である。
【００２７】
詳細は後述するが、本実施例では、現像画像データと現像アンシラリ情報が録画装置１０９へ出力される。現像処理による画像フォーマットの変化を示す情報が現像アンシラリ情報に含まれることにより、現像処理による画像フォーマットの変化を考慮した画像処理を録画装置１０９が実行可能となる。
【００２８】
また、本実施例では、アンシラリ変更部１０５は、現像処理に関する情報の一部として、現像処理が施されていることを示す情報を、現像アンシラリ情報に含める。これにより、「録画装置１０９が現像画像データに現像処理を再度施す」といった誤処理を抑制することができる。そして、上述したように、アンシラリ変更部１０５は、レシーバ１０２によって取得されたＲＡＷアンシラリ情報の少なくとも一部を、現像アンシラリ情報に含める。これにより、ＲＡＷアンシラリ情報に基づく処理を録画装置１０９が実行可能となる。例えば、録画制御情報に応じた録画制御（録画の開始、録画の停止、等）、撮影情報（撮影時に考慮された画質）を考慮した画像処理、等を録画装置１０９が実行可能となる。
【００２９】
なお、現像処理と、現像処理に関する情報とは特に限定されない。例えば、現像処理による画像サイズの変化を示す情報として、水平解像度の変化のみを示す情報、垂直解像度の変化のみを示す情報、等が使用されてもよい。また、画像フォーマットの変化を示す情報として、現像画像データのデータフォーマット（ＲＧＢフォーマット、ＪＰＥＧフォーマット、等）を示す情報が使用されてもよい。現像処理に関する情報の一部として、表示装置１０１（画像処理装置）を示す情報が、現像アンシラリ情報に含まれてもよい。表示装置１０１を示す情報は、例えば、表示装置１０１を識別するための識別情報である。表示装置１０１の識別情報は、例えば、表示装置１０１の機種名、シリアル番号、識別子、等である。また、レシーバ１０２によって取得されたＲＡＷアンシラリ情報の全てが現像アンシラリ情報に含まれてもよいし、そうでなくてもよい。例えば、ＲＡＷアンシラリ情報に含まれた複数の情報のうち、現像処理によって変化した情報は、現像アンシラリ情報に含まれてもよいし、現像アンシラリ情報に含まれなくてもよい。
【００３０】
アンシラリ合成部１０６は、ディベイヤ部１０３からの現像画像データと、アンシラリ変更部１０５からの現像アンシラリ情報とを、ＳＤＩケーブルを介して録画装置１０９へ出力する。本実施例では、アンシラリ合成部１０６は、現像アンシラリ情報を現像画像データに付加（合成）し、現像アンシラリ情報が付加された現像画像データを、録画装置１０９へ出力する。現像処理の処理時間が比較的長い場合には、アンシラリ合成部１０６は、現像アンシラリ情報を現像画像データに合成する際に、ディベイヤ部１０３の処理時間に対応する時間だけ待つ。この処理の実現方法は特に限定されない。例えば、予め計測された処理時間に基づいて決定された待ち時間を用いて、上記処理が実現される。なお、現像アンシラリ情報に含まれる各情報は、ＨＡＮＣとＶＡＮＣのどちらに含められてもよい。また、現像アンシラリ情報を現像画像データに付加する処理は行われずに、現像アンシラリ情報と現像画像データとが個別に出力されてもよい。
【００３１】
表示部１０７は、ディベイヤ部１０３からの現像画像データに基づいて、画面に画像を表示する。
【００３２】
以上述べたように、本実施例によれば、現像処理を行う画像処理装置において、現像処理に関する情報とＲＡＷアンシラリ情報の少なくとも一部とを含む情報が、現像アンシラリ情報として生成される。そして、現像画像データと現像アンシラリ情報とが画像処理装置から出力される。それにより、画像データに対応する対応情報の利便性を向上することができる。例えば、現像アンシラリ情報には、現像処理前の状態に対応する情報と、現像処理後の状態に対応する情報との両方が含まれる。そのため、画像処理装置の後段の装置が、現像処理前の状態に対応する処理と、現像処理後の状態に対応する処理とを好適に実行可能となる。
【００３３】
＜実施例２＞
以下、本発明の実施例２について説明する。以下では、実施例１と異なる構成や処理について説明し、実施例１と同様の構成や処理についての説明は省略する。図３は、本実施例に係る画像処理システムの構成例を示す図である。図３の画像処理システムは、撮影装置３１１、表示装置３０１、及び、録画装置３１２を有する。撮影装置３１１は、実施例１（図１）の撮影装置１０８と同様の処理を行う。
【００３４】
表示装置３０１は、レシーバ３０２、ディベイヤ部３０３、アンシラリ解析部３０４、アンシラリ変更部３０５、アンシラリ合成部３０６、表示部３０７、ファイル生成部３０８、通信部３０９、及び、画像処理部３１０を有する。なお、表示装置３０１の上記各機能部は、ハードウェアによって実現されてもよいし、そうでなくてもよい。例えば、表示装置３０１が、プロセッサと、制御プログラムが格納されたメモリとを有していてもよい。そして、表示装置３０１が有する少なくとも一部の機能部の処理が、プロセッサがメモ
リから制御プログラムを読み出して実行することにより実現されてもよい。
【００３５】
レシーバ３０２は、実施例１のレシーバ１０２と同様の処理を行い、ディベイヤ部３０３は、実施例１のディベイヤ部１０３と同様の処理を行う。但し、ディベイヤ部３０３は、第１画像データを画像処理部３１０へ出力する。第１画像データは、ＲＡＷアンシラリ情報（ＲＡＷアンシラリ情報の解析結果）に基づいてＲＡＷデータに現像処理を施すことにより得られた画像データである。
【００３６】
画像処理部３１０は、第１画像データに画像処理を施すことにより、第２画像データを生成する。そして、画像処理部３１０は、第２画像データをアンシラリ合成部３０６と表示部３０７とへ出力する。第１画像データまたは第２画像データが、実施例１で述べた「現像画像データ」として使用される。本実施例では、第２画像データが現像画像データとして使用される。
【００３７】
画像処理部３１０によって行われる画像処理は特に限定されない。例えば、ガンマ変換、色域変換、ＣＤＬ処理、等の画像処理が、画像処理部３１０によって行われる。画像の色の管理方法として、米国映画撮影監督協会によって提案されたＡＳＣ  ＣＤＬ（Ｔｈｅ
Ａｍｅｒｉｃａｎ  Ｓｏｃｉｅｔｙ  ｏｆ  Ｃｉｎｅｍａｔｏｇｒａｐｈｅｒｓ  Ｃｏｌｏｒ  Ｄｅｃｉｓｉｏｎ  Ｌｉｓｔ）がある。ＣＤＬ処理は、ＡＳＣ  ＣＤＬで定義された種類のパラメータを用いた画像処理である。ＣＤＬで定義された種類のパラメータを使用すれば、或る表示装置を用いた色編集時に設定されたパラメータを他の表示装置に設定することにより、複数の表示装置間で表示色（画面上の色）を一致させることができる。
【００３８】
ＡＳＣ  ＣＤＬでは、パラメータの種類として、ＳＬＯＰＥ、ＯＦＦＳＥＴ、ＰＯＷＥＲ、及び、ＳＡＴＵＲＡＴＩＯＮが定義されている。ＳＬＯＰＥのパラメータは、画像データの各階調値に乗算するゲイン値である。ＯＦＦＳＥＴのパラメータは、画像データの各階調値に加減算するオフセット値である。ＰＯＷＥＲのパラメータは、画像データに施すガンマ変換のガンマ値である。そして、ＳＡＴＵＲＡＴＩＯＮのパラメータは、画像データの各クロマ値に乗算するクロマゲイン値である。
【００３９】
アンシラリ解析部３０４は、実施例１のアンシラリ解析部１０４と同様の処理を行う。但し、アンシラリ解析部３０４は、取得したＲＡＷアンシラリ情報の少なくとも一部を、アンシラリ変更部３０５ではなく、ファイル生成部３０８へ出力する。
【００４０】
ＲＡＷデータは動画像データであっても静止画像データであってもよいが、本実施例では、ＲＡＷデータが動画像データであるとする。そのため、現像画像データは動画像データである。アンシラリ解析部３０４は、以下の条件１，２を満たすデータファイル（アンシラリ情報ファイル）がファイル生成部３０８によって生成されるように、ファイル生成部３０８へのＲＡＷアンシラリ情報の出力を行う。
条件１：現像画像データの最初のフレームに対応する情報として、現像アンシラリ情報が、アンシラリ情報ファイルに含まれる。
条件２：現像アンシラリ情報の変化が生じたフレームに対応する情報として、現像アンシラリ情報の変化に関する情報が、アンシラリ情報ファイルに含まれる。
【００４１】
具体的には、アンシラリ解析部３０４は、現像画像データの最初のフレームに対応するＲＡＷアンシラリ情報の少なくとも一部を、ファイル生成部３０８へ出力する。その後、アンシラリ解析部３０４は、ファイル生成部３０８へ出力したＲＡＷアンシラリ情報の変
化が生じた場合に、当該変化に関する情報（変化後の情報、変化前の情報と変化後の情報の差、等）のみをファイル生成部３０８へ出力する。アンシラリ解析部３０４は、上述した情報を、対応するフレームを識別するための情報（タイムコードなど）を関連付けて出力する。
【００４２】
なお、本実施例では、現像アンシラリ情報の変化として、ＲＡＷアンシラリ情報の変化に起因した変化を考慮する例を説明したが、これに限られない。例えば、現像処理の変化、画像処理部３１０によって行われた画像処理の変化、等に起因した変化が、現像アンシラリ情報の変化として考慮されてもよい。
【００４３】
本実施例では、アンシラリ情報ファイル（現像アンシラリ情報を含むデータファイル）は、表示装置３０１から出力され、アンシラリ情報ファイルは記憶部に記録される。アンシラリ変更部３０５は、アンシラリ情報ファイルの記録先を示す記録先情報（フォルダパス、ＵＲＬ、記憶部を識別するための識別情報）を、アンシラリ合成部３０６へ出力する。
【００４４】
ファイル生成部３０８は、行われた現像処理に関する情報をディベイヤ部３０３から取得し、上述した情報（ＲＡＷアンシラリ情報など）をアンシラリ解析部３０４から取得する。また、ファイル生成部３０８は、画像処理部３１０によって行われた画像処理に関する情報を、画像処理部３１０から取得する。画像処理に関する情報は特に限定されない。例えば、画像処理の種類、画像処理で使用されるパラメータ（ＣＤＬ処理が行われる場合には、ＳＬＯＰＥの値、ＯＦＦＳＥＴの値、ＰＯＷＥＲの値、ＳＡＴＵＲＡＴＩＯＮの値、等）、等が、画像処理に関する情報として使用される。そして、アンシラリ変更部３０５は、取得した情報を含むデータファイルを、アンシラリ情報ファイルとして生成する。それにより、上記条件１，２を満たすアンシラリ情報ファイルが生成される。ファイル生成部３０８は、生成したアンシラリ情報ファイルを通信部３０９へ出力する。
【００４５】
なお、アンシラリ情報ファイルにおいて、最初のフレームに対応する情報は、現像処理に関する情報、ＲＡＷアンシラリ情報の少なくとも一部、及び、画像処理に関する情報を含む現像アンシラリ情報として考えることができる。
【００４６】
なお、アンシラリ情報ファイルは、上記条件１，２を満たすデータファイルに限られない。例えば、各フレームについて現像アンシラリ情報を示すデータファイルが、アンシラリ情報ファイルとして生成されてもよい。所定数のフレームごとに現像アンシラリ情報を示すデータファイルが、アンシラリ情報ファイルとして生成されてもよい。但し、アンシラリ情報ファイルにおいて現像アンシラリ情報が対応付けられるフレームを一部のフレームに限定することにより、アンシラリ情報ファイルのデータサイズを低減することができる。その結果、アンシラリ情報ファイルが表示装置３０１から出力される際の通信負荷を低減することができる。
【００４７】
なお、アンシラリ情報ファイルのファイル形式は特に限定されない。例えば、ＣＤＬファイル（ＥＤＬ）などのファイル形式に従って、タイムコード、画像処理に関する情報、及び、アンシラリ情報が互いに関連付けられたアンシラリ情報ファイルが生成されてもよい。ここで、アンシラリ情報は、ＲＡＷアンシラリ情報、ＲＡＷアンシラリ情報の変化に関する情報、現像処理に関する情報、等である。
【００４８】
アンシラリ合成部３０６は、画像処理部３１０からの現像画像データ（第２画像データ）と、アンシラリ変更部１０５からの記録先情報とを、ＳＤＩケーブルを介して録画装置３１２へ出力する。本実施例では、アンシラリ合成部３０６は、記録先情報を現像画像データに付加（合成）し、記録先情報が付加された現像画像データを、録画装置３１２へ出
力する。
【００４９】
通信部３０９は、録画装置３１２との通信を行う。本実施例では、通信部３０９は、ファイル生成部３０８から出力されたアンシラリ情報ファイルを、録画装置３１２へ出力する。また、通信部３０９は、記録先情報によって示された記録先へアンシラリ情報ファイルを記録するための記録指示を、録画装置３１２へ出力する。なお、通信部３０９によって行われる通信は、有線通信であってもよいし、無線通信であってもよい。例えば、通信部３０９は、ＵＳＢやＥＴＨＥＲＮＥＴに基づく通信を行う。
【００５０】
なお、本実施例では、記録先情報が付加された現像画像データと、アンシラリ情報ファイルとが、表示装置３０１から個別に出力される例を説明したが、これに限られない。例えば、記録先情報を現像画像データに付加する処理は行われずに、記録先情報と現像画像データとが個別に出力されてもよい。現像画像データが表示装置３０１から出力される際に、アンシラリ情報ファイル（アンシラリ情報ファイルに含まれた情報）が現像画像データに付加されてもよい。その場合には、録画装置３１２は、アンシラリ情報ファイルの記録先を把握できなくても、アンシラリ情報ファイルを現像画像データから抽出できる。録画装置３１２がアンシラリ情報ファイルの記録先を把握せずにアンシラリ情報ファイルを把握できる場合には、録画装置３１２への記録先情報の出力は省略されてもよい。
【００５１】
表示部３０７は、画像処理部３１０からの現像画像データ（第２画像データ）に基づいて、画面に画像を表示する。
【００５２】
録画装置３１２は、表示装置３０１から出力されたアンシラリ情報ファイルを、表示装置３０１からの記録指示に応じて記録する。また、録画装置３１２は、表示装置３０１から現像画像データ（記録先情報が付加された現像画像データ）を受信し、受信した現像画像データを記録する。録画装置３１２は、現像画像データに対する処理を行う際に、現像画像データに付加された記録先情報を参照することにより、対応するアンシラリ情報ファイルの記録先を把握することができ、対応するアンシラリ情報ファイルを参照することができる。その結果、録画装置３１２は、アンシラリ情報ファイルに基づく処理を好適に実行できる。
【００５３】
なお、本実施例では、現像画像データとアンシラリ情報ファイルとの両方が録画装置３１２内に記録される例を説明したが、これに限られない。現像画像データを記憶する装置は、アンシラリ情報ファイルを記憶する装置と異なっていてもよい。
【００５４】
以上述べたように、本実施例では、現像処理と、現像処理とは異なる画像処理とを行う画像処理装置において、現像処理に関する情報、ＲＡＷアンシラリ情報の少なくとも一部、及び、画像処理に関する情報を含む情報が、現像アンシラリ情報として生成される。そして、現像画像データと現像アンシラリ情報とが画像処理装置から出力される。それにより、画像データに対応する対応情報の利便性をさらに向上することができる。例えば、画像処理に関する情報が現像アンシラリ情報に含まれているため、画像処理装置の後段の装置において、画像処理装置で行われた画像処理を容易に把握することができ、より詳細な画像処理を把握した情報に基づいて好適に実行することができる。具体的には、オンセットグレーディング（簡易なグレーディング）が画像処理装置で行われた後、画像処理装置の後段の装置において、オンセットグレーディングの情報に基づいて詳細なグレーディングを行うことができる。
【００５５】
また、本実施例では、現像処理と画像処理とが施された後の画像データが、現像画像データとして使用される。そのため、画像処理装置の後段の装置を用いた作業として、画像処理装置による画像処理の結果に基づく作業を迅速に開始することができる。
【００５６】
＜実施例３＞
以下、本発明の実施例３について説明する。以下では、実施例２と異なる構成や処理について説明し、実施例２と同様の構成や処理についての説明は省略する。図４は、本実施例に係る画像処理システムの構成例を示す図である。図４の画像処理システムは、撮影装置４１１、表示装置４０１、及び、録画装置４１２を有する。撮影装置４１１は、実施例２（図３）の撮影装置３１１と同様の処理を行う。録画装置４１２は、実施例２の録画装置３１２と同様の処理を行う。
【００５７】
表示装置４０１は、レシーバ４０２、ディベイヤ部４０３、アンシラリ解析部４０４、アンシラリ変更部４０５、アンシラリ合成部４０６、表示部４０７、ファイル生成部４０８、通信部４０９、及び、画像処理部４１０を有する。なお、表示装置４０１の上記各機能部は、ハードウェアによって実現されてもよいし、そうでなくてもよい。例えば、表示装置４０１が、プロセッサと、制御プログラムが格納されたメモリとを有していてもよい。そして、表示装置４０１が有する少なくとも一部の機能部の処理が、プロセッサがメモリから制御プログラムを読み出して実行することにより実現されてもよい。
【００５８】
表示装置４０１の上記各機能部は、実施例２の機能部と同様の処理を行う。但し、本実施例では、ディベイヤ部４０３は、生成した第１画像データを、画像処理部４１０とアンシラリ合成部４０６とへ出力する。画像処理部４１０は、第２画像データをアンシラリ合成部４０６へ出力せずに、第２画像データを表示部４０７へ出力する。そして、アンシラリ合成部４０６は、ディベイヤ部４０３によって生成された第１画像データを現像画像データとして用いて処理を行う。また、本実施例では、ファイル生成部４０８は、画像処理に関する情報の一部として、現像画像データに画像処理（現像処理以外の画像処理）が施されていないことを示す情報を、アンシラリ情報ファイルに含める。なお、アンシラリ情報ファイル（現像アンシラリ情報）には、必要に応じて、ユーザ名、コメント、等が含められる。
【００５９】
以上述べたように、本実施例でも、現像処理と、現像処理とは異なる画像処理とを行う画像処理装置において、現像処理に関する情報、ＲＡＷアンシラリ情報の少なくとも一部、及び、画像処理に関する情報を含む情報が、現像アンシラリ情報として生成される。そして、現像画像データと現像アンシラリ情報とが画像処理装置から出力される。それにより、画像データに対応する対応情報の利便性をさらに向上することができる。
【００６０】
また、本実施例では、現像処理のみが施された画像データが、現像画像データとして使用される。そのため、画像処理装置の後段の装置を用いた作業として、画像処理装置による画像処理（現像処理以外の画像処理）が施される前の画像データに基づく作業を迅速に開始することができる。
【００６１】
さらに、本実施例では、画像処理に関する情報の一部として、現像画像データに画像処理（現像処理以外の画像処理）が施されていないことを示す情報が、画像処理装置から出力される。それにより、画像処理装置の後段の装置が、現像画像データに現像処理以外の画像処理が施されていないことを把握可能となる。なお、実施例２において、画像処理に関する情報の一部として、現像画像データに画像処理（現像処理以外の画像処理）が施されていることを示す情報が、画像処理装置から出力されてもよい。それにより、画像処理装置の後段の装置が、現像画像データに現像処理以外の画像処理が施されていることを把握可能となる。画像処理装置の後段の装置は、現像画像データに現像処理以外の画像処理が施されているか否かを把握することにより、現像画像データに対する処理をより好適に行うことができる。例えば、既に施されている画像処理が現像画像データに再度施されること、施されていない画像処理の影響を現像画像データから除くこと、等の誤処理を抑制
することができる。
【００６２】
＜実施例４＞
以下、本発明の実施例４について説明する。以下では、実施例３と異なる構成や処理について説明し、実施例３と同様の構成や処理についての説明は省略する。図５は、本実施例に係る画像処理システムの構成例を示す図である。図５の画像処理システムは、撮影装置５１１、表示装置５０１、及び、録画装置５１２を有する。撮影装置５１１は、実施例３（図４）の撮影装置４１１と同様の処理を行う。
【００６３】
表示装置５０１は、レシーバ５０２、ディベイヤ部５０３、アンシラリ解析部５０４、アンシラリ変更部５０５、アンシラリ合成部５０６、表示部５０７、ファイル生成部５０８、通信部５０９、及び、画像処理部５１０を有する。なお、表示装置５０１の上記各機能部は、ハードウェアによって実現されてもよいし、そうでなくてもよい。例えば、表示装置５０１が、プロセッサと、制御プログラムが格納されたメモリとを有していてもよい。そして、表示装置５０１が有する少なくとも一部の機能部の処理が、プロセッサがメモリから制御プログラムを読み出して実行することにより実現されてもよい。
【００６４】
表示装置５０１の上記各機能部は、実施例３の機能部と同様の処理を行う。但し、本実施例では、レシーバ５０２は、取得したＲＡＷデータを、ディベイヤ部５０３と録画装置５１２とへ出力する。ファイル生成部５０８は、ＲＡＷデータと現像画像データとの対応関係を示す情報を、アンシラリ情報ファイルに含める。ＲＡＷデータと現像画像データとの対応関係を示す情報は、例えば、ファイル名、ファイルパス、等を用いてＲＡＷデータと現像画像データとを互いに関連付ける情報である。
【００６５】
録画装置５１２は、実施例３の録画装置４１２と同様の処理を行う。但し、録画装置５１２は、表示装置５０１からＲＡＷデータを取得し、且つ、取得したＲＡＷデータを記録する処理を、さらに行う。なお、ＲＡＷデータを記憶する装置は、現像画像データを記憶する装置と異なっていてもよいし、アンシラリ情報ファイルを記憶する装置と異なっていてもよい。
【００６６】
以上述べたように、本実施例によれば、現像画像データだけでなく、ＲＡＷデータも画像処理装置から出力される。それにより、現像画像データだけでなく、ＲＡＷデータも記憶部に残すことができる。ひいては、現像画像データの生成などをやり直したい場合に、再撮影（ＲＡＷデータの再生成）の手間を省くことができる。
【００６７】
さらに、本実施例では、ＲＡＷデータと現像画像データとの対応関係を示す情報が、画像処理装置から出力される。それにより、画像処理装置の後段の装置が、ＲＡＷデータと現像画像データとの対応関係を把握可能となる。その結果、画像処理装置の後段の装置は、現像画像データに対応するＲＡＷデータに基づく処理を好適に行うことができる。例えば、現像画像データに対応しないＲＡＷデータを、現像画像データに対応するＲＡＷデータとして誤って使用することなどを抑制することができる。
【００６８】
なお、実施例１〜４はあくまで一例であり、本発明の要旨の範囲内で実施例１〜４の構成を適宜変形したり変更したりすることにより得られる構成も、本発明に含まれる。実施例１〜４の構成を適宜組み合わせて得られる構成も、本発明に含まれる。
【００６９】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、
１以上の機能を実現する回路（例えば、ＡＳＩＣ）によっても実現可能である。
【符号の説明】
【００７０】
１０１，３０１，４０１，５０１：表示装置
１０２，３０２，４０２，５０２：レシーバ
１０３，３０３，４０３，５０３：ディベイヤ部
１０５：アンシラリ変更部
１０６，３０６，４０６，５０６：アンシラリ合成部
３０８，４０８，５０８：ファイル生成部
３０９，４０９，５０９：通信部
３１０，４１０，５１０：画像処理部
【図１】
2017192054.tif 000003
【図２】
2017192054.tif 000004
【図３】
2017192054.tif 000005
【図４】
2017192054.tif 000006
【図５】
2017192054.tif 000007
【図６】
2017192054.tif 000008